(57)【特許請求の範囲】
【請求項１】
傾斜角調整機構を備え斜面基部の基盤上に載置するジャッキベースと、このジャッキベースに下端部を連結し斜面の勾配方向に沿って所定間隔で設置する組立支柱と、この組立支柱間を連結する連結部材と、斜材角度調整機構を備え組立支柱に係止する支柱ブラケットと、この支柱ブラケットの足場板支持部材の先端部に係止しその上部高さを変更し得る高さ調整機構付の手摺柱と、隣接する手摺柱同士を連結する手摺とを備え、
前記ジャッキベースは、台板に対してネジ棒を全方向に旋回可能に軸支し、
前記組立支柱は、互いに長さが異なるパイロット支柱と調整支柱の組み合わせから構成され、
前記パイロット支柱及び前記調整支柱は、それぞれ支柱ジョイントで接続して斜面の勾配方向に沿って設置し、
前記パイロット支柱及び前記調整支柱は、それぞれ１本の鋼製パイプの下部に前記支柱ジョイントを有し、上部に支柱ジョイント嵌合部を有し、さらに支柱ブラケット係合部及び連結部材係止部を有することを特徴とする斜面作業用足場。
【請求項２】
前記支柱ブラケットは、縦部材の上端部を前記組立支柱の係止部材に掛止し、下端部を前記組立支柱の他の係止部材に掛止することを特徴とする請求項１記載の斜面作業用足場。
【請求項３】
前記組立支柱は、下端を斜面に支持する間隔保持部材を備えることを特徴とする請求項１または請求項２記載の斜面作業用足場。
【請求項４】
前記手摺柱は、手摺の高さ調節可能な手摺係止部材を有し、さらにこの手摺柱は前記足場板支持部材の先端部に設けた鞘管に高さ調節可能に挿通支持したことを特徴とする請求項１乃至請求項３のいずれかに記載の斜面作業用足場。
【請求項５】
前記手摺は、伸縮機構を備えることを特徴とする請求項１乃至請求項４のいずれかに記載の斜面作業用足場。
【請求項６】
前記組立支柱に、踏み桟を有する昇降兼用支柱を組み合わせて設置可能に構成したことを特徴とする請求項１乃至請求項５のいずれかに記載の斜面作業用足場。
【請求項７】
前記組立昇降兼用支柱の下端部を、傾斜角調整機構を備え斜面基部の基盤上に載置するジャッキベースの上部に連結可能に構成したことを特徴とする請求項６記載の斜面作業用足場。
【請求項８】
法尻部分の根切り部に所定の基礎コンクリートを施工した後、所定の法面高さまで壁面を築造し、
その後、斜面基部の基盤上に傾斜角調整機構付のジャッキベースを所定間隔で載置し、このジャッキベースは、台板に対してネジ棒を全方向に旋回可能に軸支し、
前記ジャッキベースに組立支柱の下端部を連結して斜面の勾配方向に沿って支柱を組み立てながら延伸すると共に隣接する組立支柱間に連結部材を係止し、この組立支柱は、互いに長さが異なるパイロット支柱と調整支柱の組み合わせから構成され、
前記パイロット支柱及び前記調整支柱は、それぞれ支柱ジョイントで接続して斜面の勾配方向に沿って設置し、
前記パイロット支柱及び前記調整支柱は、それぞれ１本の鋼製パイプの下部に前記支柱ジョイントを有し、上部に支柱ジョイント嵌合部を有し、さらに支柱ブラケット係合部及び連結部材係止部を有し、
前記組立支柱の適宜高さに係止して斜材角度調整機構により水平となった支柱ブラケットの足場板支持部材に足場板を装着し、この足場板上あるいは斜面上方に機材を搬入する際にはブラケット先端部に係止する高さ調整機構付の手摺柱を低位置に移動し、足場板上で作業を実施する際には手摺柱及び手摺を所定高さで固定して作業床を構築し、
この作業床を利用して所定高さまで壁面を施工し、次の作業床を架設することを特徴とする斜面作業用足場の架設方法。
【発明の詳細な説明】
【０００１】
【発明の属する技術分野】
この発明は、傾斜面や傾斜のある屋根等の斜面高所での補修作業、傾斜のあるコンクリート擁壁工事、あるいはブロック積み擁壁築造時等に用いる斜面作業用足場の構造及びその架設方法に関する。
【０００２】
【従来の技術】
斜面を備える構造物を構築あるいは補修する際には、斜面の傾斜角に適合した作業場が必要となる。例えば、宅地造成工事等の盛土部及び切土部の法面にはプレキャストコンクリートブロックを積み上げたブロック積み擁壁が構築されるが、その施工方法は次のように行っている。先ず法尻部分の根切り部に所定の基礎コンクリートを施工した後、この基礎コンクリート上にコンクリートブロックを人力により１個づつ積み上げ、同時にコンクリートブロックの背面に間詰めコンクリートを打設してブロック積み擁壁としての一体化を図っている。そしてこのブロック積み上げ作業を所定の法面高さまで繰り返して擁壁状の壁面を築造している。
【０００３】
ところで、ブロックの積み上げ作業は、擁壁を構築する法面の高さによっては、いわゆる高所作業となるため、作業場に手摺等を設ける措置が義務づけられているが、その積み上げ作業は、積み上げられたブロックの最上段に新たなブロックを順次積み上げて行く作業となるため、その都度手摺を設けておくことは非常に煩雑となる。また、ブロック等の材料を作業場に搬入する際には手摺が邪魔になるため搬入時には手摺を撤去しなければならなかった。このため従来のブロック積み上げ作業では、手摺を設けず作業場上の所定の高さに張った親綱から安全帯を着用している作業員が命綱を取って高所作業を行う場合が多かった。
【０００４】
また、ブロック積み擁壁では積み上げ完了後に目地仕上げを行っているが、この作業のためには擁壁前面に作業用足場を組み立てる必要がある。目地仕上げ用に用いる従来の作業用足場は、法面に沿ってパイプや丸太または鋼製の枠組足場を組み立て、これに足場板を敷設するいわゆる本足場か、水抜孔を利用して架設する簡易足場か、あるいは法面の水平方向に沿って移動可能とする移動式足場であった。
【０００５】
【発明が解決しようとする課題】
しかし、親綱から命綱を取って作業を行う方法では、親綱の位置によっては足場上を作業員がスムーズに移動できない。このため実際には、命綱を親綱から外して作業する場合が多く高所作業の安全が必ずしも確保されていなかった。
【０００６】
また、目地仕上げ等に用いる斜面作業用足場を本足場で構築するとなると、その足場材の数量が非常に多くなるため、作業効率面からもコスト面からも不利であった。また、単管パイプ等を組み立てて足場を構築する作業は技術的にも難しいため、熟練工が不足している今日では設置が容易でなく、その構築時の安全確保にも不安があった。
【０００７】
また、このような本足場をブロックの積み上げ時に構築する場合には、作業工程に応じて逐次構築しなければならないが、その組立作業に時間を要する欠点があり、しかもバックホー等の重機により資材搬入やコンクリート打設を行う際には足場材が邪魔になる欠点もあった。
【０００８】
一方、水抜孔に単管パイプや鉄筋等を挿入して構築する簡易足場の場合は、本足場以上に難しい作業となるため、設置作業に一般作業員ではなく鳶職等の熟練工が必要となり施工が非常に制限される不利があった。また、挿入したパイプ等が抜ける恐れもあるため安全性にも問題があった。更に水抜孔の位置によってはブロックの積み上げ高さと合致しない場合もあり、積み上げ作業が困難となることもあった。
【０００９】
また、移動式足場はその構造からブロック積み上げ時には不適であり、しかも凹凸のあるブロック積み擁壁では組立及び操作が難しい面もあった。また広い面積を有する擁壁で同時に作業する場合には適さなかった。
【００１０】
この発明は、上記課題を解決し、足場に使用する資材の数量が少なく、軽量であり、しかも組立解体作業が容易で、鳶職や熟練工を必要とせずに安全に構築することができ、工程的にもコスト的にも有利な斜面作業用足場を提供することを目的としている。
【００１１】
また、斜面完成時のみならず斜面構築時にあっても作業員の安全を確保しながら、しかも足場材が資材搬入等の邪魔にならない斜面作業用足場及びその架設方法を提供することを目的としている。また、斜面基部に縦断勾配がある場合でも同一高さで足場板を架設できる斜面作業用足場を提供することを目的としている。
【００１２】
【課題を解決するための手段】
前記課題を解決し、かつ目的を達成するため、請求項１記載の発明の斜面作業用足場は、傾斜角調整機構を備え斜面基部の基盤上に載置するジャッキベースと、このジャッキベースに下端部を連結し斜面の勾配方向に沿って所定間隔で設置する組立支柱と、この組立支柱間を連結する連結部材と、斜材角度調整機構を備え組立支柱に係止する支柱ブラケットと、この支柱ブラケットの足場板支持部材の先端部に係止しその上部高さを変更し得る高さ調整機構付の手摺柱と、隣接する手摺柱同士を連結する手摺とを備え、
前記ジャッキベースは、台板に対してネジ棒を全方向に旋回可能に軸支し、
前記組立支柱は、互いに長さが異なるパイロット支柱と調整支柱の組み合わせから構成され、
前記パイロット支柱及び前記調整支柱は、それぞれ支柱ジョイントで接続して斜面の勾配方向に沿って設置し、
前記パイロット支柱及び前記調整支柱は、それぞれ１本の鋼製パイプの下部に前記支柱ジョイントを有し、上部に支柱ジョイント嵌合部を有し、さらに支柱ブラケット係合部及び連結部材係止部を有することを特徴としている。斜面基部の基盤上にジャッキベースを載置し、このジャッキベースに組立支柱の下端部を連結し、ジャッキベースの調節によって斜面の勾配方向に沿って組立支柱を設置する。ジャッキベースは、台板に対してネジ棒が全方向に旋回可能に軸支するため、基盤の傾斜角にも対応することができ、斜面の勾配方向に合わせて角度を調整できるものであり、これに連結する組立支柱は単位枠を適宜組み立ててその全体長さを調整することができる。また、互いに長さが異なるパイロット支柱と調整支柱の組み合わせにより簡単に組立支柱の高さ調節ができ、同一高さで足場板を架設できる。また、パイロット支柱及び調整支柱が、１本の鋼製パイプに支柱ジョイント、支柱ジョイント嵌合部、支柱ブラケット係合部及び連結部材係止部を有し、小型かつ軽量で、保管、運搬に便利で、しかも低コストである。このため、足場に使用する資材の数量が少なく、軽量であり、しかも組立解体作業が容易で、鳶職や熟練工を必要とせずに安全に構築することができ、工程的にもコスト的にも有利である。また、支柱ブラケットの足場板支持部材の先端部に係止した手摺柱の上部高さを変更することで、斜面完成時のみならず斜面構築時にあっても作業員の安全を確保しながら、しかも手摺柱や手摺が資材搬入等の邪魔にならない。
【００１４】
請求項２記載の発明の斜面作業用足場は、前記支柱ブラケットは、縦部材の上端部を前記組立支柱の係止部材に掛止し、下端部を前記組立支柱の他の係止部材に掛止することを特徴としている。組立支柱は係止部材を有し、支柱ブラケットにより適切な高さの係止部材を選択して簡単に支柱ブラケットを組立支柱に係止することができる。
【００１８】
請求項３記載の発明の斜面作業用足場は、前記組立支柱は、下端を斜面に支持する間隔保持部材を備えることを特徴としている。間隔保持部材は、組立支柱と斜面との間を調整することができるため、斜面に凹凸がある場合にも組立支柱の斜面からの離れを一定にすることができる。
【００１９】
請求項４記載の発明の斜面作業用足場は、前記手摺柱は、手摺の高さ調節可能な手摺係止部材を有し、さらにこの手摺柱は前記足場板支持部材の先端部に設けた鞘管に高さ調節可能に挿通支持したことを特徴としている。手摺柱に設けた手摺係止部材により手摺の高さを調節することができ、さらに手摺柱は手摺を下げる場合には鞘管内を降下させ、作業の種類に応じて手摺柱の高さを容易に変化させることができる。
【００２０】
請求項５記載の発明の斜面作業用足場は、前記手摺は、伸縮機構を備えることを特徴としている。手摺柱を下げる時には、手摺柱間に設けた手摺が手摺柱の下げに従って斜めとなりその支点間距離が長くなるが、伸縮機構を備えているのでこれに対応することができ、作業の種類に応じて手摺柱及び手摺の高さを容易に変化させることができる。
【００２１】
請求項６記載の発明の斜面作業用足場は、前記組立支柱に、踏み桟を有する昇降兼用支柱を組み合わせて設置可能に構成したことを特徴としている。組立支柱に、昇降兼用支柱を組み合わせて設置することで、作業者は昇降兼用支柱を利用して容易に昇降でき作業効率が向上する。
【００２２】
請求項７記載の発明の斜面作業用足場は、前記組立昇降兼用支柱の下端部を、傾斜角調整機構を備え斜面基部の基盤上に載置するジャッキベースの上部に連結可能に構成したことを特徴としている。踏み桟を有する組立昇降兼用支柱も組立支柱と同様に、簡単なジャッキベースにより高さ調節を行なうことができる。
【００２３】
請求項８記載の発明の斜面作業用足場の架設方法は、法尻部分の根切り部に所定の基礎コンクリートを施工した後、所定の法面高さまで壁面を築造し、
その後、斜面基部の基盤上に傾斜角調整機構付のジャッキベースを所定間隔で載置し、このジャッキベースは、台板に対してネジ棒を全方向に旋回可能に軸支し、
前記ジャッキベースに組立支柱の下端部を連結して斜面の勾配方向に沿って支柱を組み立てながら延伸すると共に隣接する組立支柱間に連結部材を係止し、この組立支柱は、互いに長さが異なるパイロット支柱と調整支柱の組み合わせから構成され、
前記パイロット支柱及び前記調整支柱は、それぞれ支柱ジョイントで接続して斜面の勾配方向に沿って設置し、
前記パイロット支柱及び前記調整支柱は、それぞれ１本の鋼製パイプの下部に前記支柱ジョイントを有し、上部に支柱ジョイント嵌合部を有し、さらに支柱ブラケット係合部及び連結部材係止部を有し、
前記組立支柱の適宜高さに係止して斜材角度調整機構により水平となった支柱ブラケットの足場板支持部材に足場板を装着し、この足場板上あるいは斜面上方に機材を搬入する際にはブラケット先端部に係止する高さ調整機構付の手摺柱を低位置に移動し、足場板上で作業を実施する際には手摺柱及び手摺を所定高さで固定して作業床を構築し、
この作業床を利用して所定高さまで壁面を施工し、次の作業床を架設することを特徴としている。支柱ブラケットは斜材角度調整機構により斜面勾配に合わせて相互の部材角を変更できるため、足場板支持部材の水平を確保することができる。支柱ブラケットは斜面に適宜間隔をあけて設置する組立支柱の同一高さに係止するものであるが、その横方向の間隔は足場板の長さに応じて定める。足場を構築する斜面が平坦な場合には隣接する支柱ブラケットは平行となるので所定形状の爪付きの鋼製足場板を用いることもできるが、斜面が平坦でない場合には木製や鋼製の足場板を結束バンド等で固定することになる。斜面の勾配方向に合わせて設置される組立支柱は、その高さを容易に揃えることができ、同一高さで足場板を架設できる。また、組立解体作業が容易で、鳶職や熟練工を必要とせずに安全に構築することができ、工程的にもコスト的にも有利である。
【００２４】
【発明の実施の形態】
次に、この発明の実施の形態を添付図面に基づき詳細に説明する。図１はこの発明の斜面作業用足場の正面図、図２は同側面図、図３はパイロット支柱を示す図、図４は調整支柱を示す図、図５は調整支柱を示す図、図６は昇降兼用支柱を示す図、図７はジャッキベースの側面図、図８は図７のVIII-VIII断面を示す断面図、図９は支柱ブラケットを示す図、図１０は他の実施の形態の支柱ブラケットを示す図、図１１は支柱ブラケットの係止部を示す拡大図、図１２はさらに他の実施の形態の支柱ブラケットの係止部を示す図、図１３はさらに他の支柱ブラケットの係止部を示す拡大図、図１４は手摺柱を示す図、図１５は間隔保持部材を示す図である。
【００２５】
斜面作業用足場１は、斜面２基部の基盤３上に載置するジャッキベース４と、このジャッキベース４に下端部を連結し斜面２の勾配方向に沿って設置する組立支柱５と、組立支柱５に係止する支柱ブラケット６と、手摺柱７及び手摺８を備え、支柱ブラケット６間には足場板９が掛け渡され、組立支柱５には連結部材１０及び間隔保持部材１１が取り付けられる。連結部材１０として、この実施の形態ではブレースが用いられている。
【００２６】
組立支柱５は、図３に示すパイロット支柱５０と、図４及び図５に示す調整支柱５１，５２の組み合わせから構成され、それぞれ支柱ジョイント５０ａ，５１ａ，５２ａで接続して斜面２の勾配方向に沿って設置する。パイロット支柱５０と調整支柱５１，５２の組み合わせにより簡単に組立支柱の高さ調節ができる。
【００２７】
即ち、パイロット支柱５０及び調整支柱５１，５２は、それぞれ１本の鋼製パイプ５０ｂ，５１ｂ，５２ｂの下部に支柱ジョイント５０ａ，５１ａ，５２ａを有し、上部に支柱ジョイント嵌合部５０ｃ，５１ｃ，５２ｃを有し、さらに支柱ブラケット係合部５０ｄ，５１ｄ，５２ｃ及び連結部材係止部５０ｅ，５１ｅ，５２ｅを有している。支柱ジョイント５０ａ，５１ａ，５２ａはピン貫通孔５０ｆ，５１ｆ，５２ｆを有し、鋼製パイプ５０ｂ，５１ｂ，５２ｂにボルト・ナット５０ｇ，５１ｇ，５２ｇにより固定されている。支柱ジョイント嵌合部５０ｃ，５１ｃ，５２ｃはピン貫通孔５０ｈ，５１ｈ，５２ｈを有し、ピン貫通孔５０ｆ，５１ｆ，５２ｆを合わせてピンを挿入して連結される。
【００２８】
支柱ブラケット係合部５０ｄ，５１ｄ，５２ｃは、鋼製パイプ５０ｂ，５１ｂ，５２ｂの両側に丸鋼を略Ｕ字状に屈曲して両端部溶接して設けられているが、支柱ブラケット６を引っ掛けることができればどのような形状でもよく、例えばピン状でも、あるいはピン状の先端を曲げて係止するような形状のものでもよい。連結部材係止部５０ｅ，５１ｅ，５２ｅは、一般に用いられているグラビティーロックが用いられている。
【００２９】
このように、パイロット支柱５０及び調整支柱５１，５２が、１本の鋼製パイプ５０ｂ，５１ｂ，５２ｂに支柱ジョイント５０ａ，５１ａ，５２ａ、支柱ジョイント嵌合部５０ｃ，５１ｃ，５２ｃ、支柱ブラケット係合部５０ｄ，５１ｄ，５２ｃ及び連結部材係止部５０ｅ，５１ｅ，５２ｅを有し、小型かつ軽量で、保管、運搬に便利で、しかも低コストであり、支柱ジョイント５０ａ，５１ａ，５２ａを工場で取付けてから現場に搬入すれば特に工具を用いなくとも足場の組立が可能になる。
【００３０】
また、斜面作業用足場１は、組立支柱５に、組立昇降兼用支柱５３を組み合わせて設置可能に構成されている。組立昇降兼用支柱５３は、図６に示すようにパイロット昇降兼用支柱５４と、図示しない調整昇降兼用支柱との組み合わせにより簡単に高さ調節ができる。パイロット昇降兼用支柱５４は、パイロット支柱５０と同じ長さに形成されており、図示しない調整昇降兼用支柱は調整支柱５１，５２と同様な長さに形成され、これらは同様に構成されるから、パイロット昇降兼用支柱５４についてのみ説明する。
【００３１】
即ち、パイロット昇降兼用支柱５４は、一対の鋼製パイプ５４ｂに踏み桟５４ａを所定間隔溶接して連結し、鋼製パイプ５４ｂの下部に支柱ジョイント５４ｃを有し、上部に支柱ジョイント嵌合部５４ｄを有し、さらに支柱ブラケット係合部５４ｅ及び連結部材係止部５４ｆを有している。支柱ジョイント５４ｃはピン貫通孔５４ｇを有し、鋼製パイプ５４ｂにボルト・ナット５４ｈにより固定されている。支柱ジョイント嵌合部５４ｄはピン貫通孔５４ｉを有し、ピン貫通孔５４ｇを合わせてピンを挿入して連結される。
【００３２】
支柱ブラケット係合部５４ｅは、鋼製パイプ５４ｂの両側に丸鋼を略Ｕ字状に屈曲して両端部溶接して設けられているが、支柱ブラケット６を引っ掛けることができればどのような形状でもよく、例えばピン状でも、あるいはピン状の先端を曲げて係止するような形状のものでもよい。連結部材係止部５４ｆは、一般に用いられているグラビティーロックが用いられている。踏み桟５４ａには、鋼製角パイプが用いられ、その中央部に踏み面５４ａ１が形成されている。
【００３３】
このように、組立支柱５に、組立昇降兼用支柱５３を組み合わせて設置することで、作業者は昇降兼用支柱５３を利用して容易に昇降でき作業効率が向上する。
【００３４】
ジャッキベース４は、図７及び図８に示すように、台板４ａに対してネジ棒４ｂが全方向に旋回可能に軸支する構成であって、斜面２の勾配と平行になるようネジ棒４ｂの角度を調整すると共に基盤３の傾斜にも対応することができる。即ち、台板４ａを支持する基盤３が前後左右に傾斜していても組立支柱５及び組立昇降兼用支柱５３を斜面勾配方向に揃えて設置することができる。なお、台板部分を水平に整地する場合には、少なくとも斜面勾配方向の傾斜角が調整でき、隣接する組立支柱５及び組立昇降兼用支柱５３の高さが調整ができるものであればピボット式のジャッキベースでなくともよい。
【００３５】
支柱ブラケット６は、図９に示すように、足場板支持部材である水平材６ａと、斜材６ｂと、手摺柱７を挿通係止する鞘管６ｃから構成されている。水平材６ａは鞘管６ｃに溶接され、その先端部には掛止部６ｄが設けられ、この掛止部６ｄの切欠き６ｄ１を例えば支柱ブラケット係合部５０ｄに引っ掛けてロックピン６ｅで抜け止する。斜材６ｂは、内側パイプ６ｂ１と外側パイプ６ｂ２をピン６ｆにより長さを調節可能に構成され、内側パイプ６ｂ１は鞘管６ｃに支持ピン６ｇを支点に回動可能に連結され、斜材６ｂの角度調整機構を構成している。外側パイプ６ｂ２の先端部には掛止部６ｈが設けられ、この掛止部６ｈの切欠き６ｈ１を例えば支柱ブラケット係合部５０ｄに引っ掛けてロックピン６ｉで抜け止する。掛止部６ｄ，６ｈのロックピン６ｅ，６ｉは両方ロックしなくて、少なくとも一方をロックすれば支柱ブラケット６の抜け止になる。鞘管６ｃには、手摺柱７を固定するピン６ｊが設けられている。
【００３６】
また、支柱ブラケット６は、図１０に示すように構成される。この実施の形態では、図９と同様に構成される部材は、同じ符号を付して説明を省略する。この実施の形態では、掛止部６ｄ，６ｈには、切欠き６ｄ１，６ｈ１より外側にロック溝６ｄ２，６ｈ２が形成され、このロック溝６ｄ２，６ｈ２にロック爪６ｋ，６ｌがロック解除位置とロック位置とに移動可能に設けられている。ロック爪６ｋ，６ｌを手で持ち上げて、例えば支柱ブラケット係合部５０ｄに引っ掛けて手を離すと自動的に落下してロック位置になって簡単な操作で抜け止となる。
【００３７】
また、掛止部６ｄ，６ｈは、図１１に示すように構成できる。この実施の形態では、掛止部６ｄ，６ｈの切欠き６ｄ１，６ｈ１より内側にロックピン６ｍ，６ｎ及びロックピン６ｏ，６ｐが設けられている。このロックピン６ｍ，６ｎ及びロックピン６ｏ，６ｐにロック爪６ｑ，６ｒがロック溝６ｑ１，６ｒ１及びロック溝６ｑ２，６ｒ２を係合して解除位置とロック位置とに移動可能に設けられている。
【００３８】
さらに、掛止部６ｄ，６ｈは、図１２に示すように構成できる。この実施の形態では、掛止部６ｄ，６ｈの切欠き６ｄ１，６ｈ１を例えば支柱ブラケット係合部５０ｄに引っ掛けて、下側の掛止部６ｈをボルト６ｓにより固定して抜け止する。
【００３９】
また、支柱ブラケット６は、図１３に示すように構成される。この実施の形態では、図９と同様に構成される部材は、同じ符号を付して説明を省略する。この実施の形態の斜材６ｂは、内側パイプ６ｂ１と外側パイプ６ｂ２をピン６ｆにより長さを調節可能に構成され、外側パイプ６ｂ２には２又状の掛止部６ｔが固定されている。この掛止部６ｔを例えば支柱ブラケット係合部５０ｄに引っ掛けて、内側パイプ６ｂ１をスライドしてピン６ｆにより固定して抜け止する。
【００４０】
このように支柱ブラケット６は、斜材角度調整機構により斜面勾配に合わせて相互の部材角を変更できるため、足場板９の水平を確保することができる。また、支柱ブラケット６は斜面２に適宜間隔をあけて設置する組立支柱５及び組立昇降兼用支柱５３の同一高さに係止するものであるが、その横方向の間隔は足場板９の長さに応じて定める。足場を構築する斜面２が平坦な場合には隣接する支柱ブラケット６同士は平行となるので所定形状の爪付きの鋼製足場板を用いることもできるが、斜面が平坦でない場合、例えば曲面を有する場合、段差を備える場合等には木製や鋼製等の足場板を結束バンド等で固定することになる。
【００４１】
鞘管６ｅ側面には手摺柱７を支持するピン６ｊが挿通するが、これを抜くことで手摺柱７を落し込みその高さを低くすることができる。また、手摺柱７は、このピン６ｊを挿通するための孔部７ａが下部に設けられ、上端部にはグラビティロック７ｄが突設している。手摺柱７の中央部には、グラビティロック７ｄを有する手摺８の高さ調節可能な手摺係止部材７０が係止ピン７１により係止されている。
【００４２】
手摺柱７は、鞘管６ｃに高さ調節可能に挿通支持される。手摺柱７に設けた手摺係止部材７０は、係止ピン７１を抜くことで下方へ移動可能になり、手摺係止部材７０に支持した手摺８の高さを調節することができる。さらに、手摺柱７は手摺８を下げる場合には鞘管６ｃ内を降下させ、作業の種類に応じて手摺柱７の高さを容易に変化させることができる。
【００４３】
手摺柱７を下げる時には、手摺柱７間に設けた手摺８が手摺柱７の下げに従って斜めとなりその支点間距離が長くなるが、伸縮機構を備えているのでこれに対応することができる。なお、手摺柱７の高さ調整機構はこのような落し込み方式でなくとも可能である。例えば手摺柱と支柱ブラケットの水平材とを回動可能に軸支する構成でもよい。
【００４４】
間隔保持部材１１は組立支柱５及び組立昇降兼用支柱５３に装着する単クランプの緊結部材１１ａと、これに溶接して固定され両端部にナット１１ｂを溶接した連結プレート１１ｃと、ナット１１ｂに螺着したボルト１１ｄを備えている。ボルト１１ｄの下端部には斜面２に当接する支承部１１ｅを設けている。支承部１１ｅは構造物を傷めないように色の付きにくいゴム、樹脂等の支承とする。間隔保持部材１１は組立支柱５及び組立昇降兼用支柱５３と斜面２との間を調整することができるため、斜面２に凹凸がある場合にも組立支柱５及び組立昇降兼用支柱５３を同一平面に並置することができる。
【００４５】
次に、斜面作業用足場の架設方法を図１６に基づき説明する。図１６はブロック積み擁壁を構築する際に設ける斜面作業用足場の架設手順の説明図である。先ず法尻部分の根切り部に所定の基礎コンクリート１２を施工した後、コンクリートブロック１３を重機及び人力により１個づつ積み上げ背面に間詰めコンクリートを打設して一体化を図りつつブロック積み上げ作業を所定の法面高さ（地上高さ約２ｍ）まで繰り返して壁面を築造する（図１６（ａ））。
【００４６】
その後、基盤３上に傾斜角調整機構付のジャッキベース４を所定間隔で載置して斜面の勾配方向に沿って第１層部分の組立支柱５を立設し、支柱ブラケット６及び足場板９等からなる作業床を構築し（図１６（ｂ））、この作業床を利用して例えば地上約３ｍの高さまで壁面を施工する（図１６（ｃ））。次に、第２層部分の組立支柱５等を建て込みながら壁体を構築し次の作業床を架設して、更に上部のブロック積み上げ作業を行う。このようにして擁壁の高さがかなり高くなってきた時には、基盤３上に仮盛土１４を行って重機の高さを調整する（図１６（ｄ），（ｅ））。最上部までの擁壁及び足場の構築が完了した後に（図１６（ｆ））、仮盛土１４を撤去し、仮撤去した作業床を復旧して、ブロックの目地仕上げを行う（図１６（ｇ））。
【００４７】
このようにブロック積み上げ作業はバックホー等の重機を用いながら材料を足場板９や背面の盛土１５上に搬入して新たなブロックを順次積み上げて行くので重機旋回の邪魔にならないよう該当する部分の手摺及び手摺柱は一時低位置に移動し、足場板９上で作業を実施する際にはこれらを元の位置に復旧する。従って、ブロック積み上げ時には所定の位置で安全に作業が行え、目地仕上げを行いながら足場を順次解体することができるので資材・工程面においても効率的である。
【００４８】
この斜面作業用足場は傾斜面の勾配に沿って簡単に設置できるので、上記のような法面におけるブロック積み工事等の他コンクリート打設された法面擁壁の補修工事にも有効である。
【００４９】
以上説明した斜面作業用足場は基盤面の高さがほぼ一定で、作業床が基盤と平行に設置できる場合であるが、基盤に縦断勾配があって作業床と基盤が平行にならない時には図４及び図５に示す調整支柱５１，５２を用い、支柱ジョイント５１ａ，５２ａによりパイロット支柱５０に連結する。これにジャッキベース４の調整代を加えることで基盤３に縦断勾配がある場合でも隣接する支柱の下端高さを揃え、同一高さで水平に足場板を架設することが可能になる。
【００５０】
次に、この発明の他の実施の形態を添付図面に基づき詳細に説明する。図１７はこの発明の斜面作業用足場の正面図、図１８は同側面図、図１９は組立支柱の正面図、図２０は支柱ブラケットの側面図、図２１は間隔保持部材の正面図である。
【００５１】
斜面作業用足場１０１は、斜面１０２基部の基盤１０３上に載置するジャッキベース１０４と、このジャッキベース１０４に下端部を連結し斜面１０２の勾配方向に沿って設置する梯子状の組立支柱１０５と、組立支柱１０５に係止する支柱ブラケット１０６と、手摺柱１０７及び手摺１０８を備え、支柱ブラケット１０６間には足場板１０９が掛け渡され、組立支柱１０５には連結部材１１０及び間隔保持部材１１１が取り付けられる。
【００５２】
組立支柱１０５は、図１９に示すような梯子状のパイロット支柱１５０を支柱ジョイント１５１により適宜組み立ててその全体長さを調整するものであり、パイロット支柱１５０は２本の柱材１５２と適数本の横材１５３からなる。長さの異なる単位枠を複数種類揃えると組立支柱１０５の全体長さを斜面長に応じて適切に調整することができる。パイロット支柱１５０はアルミニウムパイプのような軽量な材質が望ましく、支柱ジョイント１５１を工場で取付けてから現場に搬入すれば特に工具を用いなくとも足場の組立が可能になる。
【００５３】
ジャッキベース１０４は、図７及び図８と同様に構成されるから説明を省略する。支柱ブラケット１０６は、足場板支持部材である水平材１０６ａと、上下端に掛止部１０６ｂ，１０６ｊを設けた縦部材１０６ｃと、これらを連結する斜材１０６ｄを有し、水平材１０６ａの先端には、手摺柱１０７を挿通係止する鞘管１０６ｅを固着する。斜面１０２の勾配に合わせて水平材１０６ａと縦部材１０６ｃの交角αを例えば傾斜勾配１：０．３，１：０．４，１：０．５，１：０．６に合わせられるように斜材１０６ｄは角度調整機構を備える。
【００５４】
この支柱ブラケット１０６の斜材角度調整機構は、縦部材１０６ｃに突設する板体の係合部１０６ｇに斜材下端部のピン１０６ｆを適宜選択しながら係止する方式であるが、もちろんこれに限定されるものではなく、例えば係合部を縦部材に穿設する複数のピン孔とするものでもよい。また、長めの斜材上部に複数のピン孔を穿設し、これを適宜選択しながら水平材とピン結合する方式でもよい。
【００５５】
このように支柱ブラケット１０６は、斜材角度調整機構により斜面勾配に合わせて相互の部材角を変更できるため、足場板１０９の水平を確保することができる。また、支柱ブラケット１０６は斜面１０２に適宜間隔をあけて設置する組立支柱１０５の同一高さに係止するものであるが、その横方向の間隔は足場板１０９の長さに応じて定める。足場を構築する斜面１０２が平坦な場合には隣接する支柱ブラケット１０６同士は平行となるので所定形状の爪付きの鋼製足場板を用いることもできるが、斜面が平坦でない場合、例えば曲面を有する場合、段差を備える場合等には木製や鋼製等の足場板を結束バンド等で固定することになる。
【００５６】
鞘管１０６ｅ側面には手摺柱１０７を支持するピン１０６ｈが挿通するが、これを抜くことで手摺柱１０７を落し込みその高さを低くすることができ、手摺柱１０７は、図１４に示すものと同様に構成されるから説明を省略する。
【００５７】
手摺柱１０７を下げる時には、手摺柱１０７間に設けた手摺１０８が手摺柱１０７の下げに従って斜めとなりその支点間距離が長くなるが、伸縮機構を備えているのでこれに対応することができる。なお、手摺柱１０７の高さ調整機構はこのような落し込み方式でなくとも可能である。例えば手摺柱１０７と支柱ブラケット１０６の水平材とを回動可能に軸支する構成でもよい。
【００５８】
また、支柱ブラケット１０６は掛止部１０６ｂを組立支柱１０５の適宜高さの横材１５３に掛止し、縦部材１０６ｃの下端の掛止部１０６ｊを他の横材１５３に掛止して固定する方式であるが、支柱ブラケット１０６の浮き上がりを防止するため、掛止部１０６ｂ下方に回動可能なＬ字金具１０６ｉを付設する。
【００５９】
間隔保持部材１１１は柱材１５２に装着する緊結部材１１１ａと、これに連結するボルトナット１１１ｂを備え、その下端部には斜面１０２に当接する支承部１１１ｃを設ける。支承部１１１ｃは構造物を傷めないように色の付きにくいゴム、樹脂等の支承とする。間隔保持部材１１１は組立支柱１０５と斜面１０２との間を調整することができるため、斜面１０２に凹凸がある場合にも組立支柱１０５を同一平面に並置することができる。
【００６０】
以上説明した斜面作業用足場は基盤面の高さがほぼ一定で、作業床が基盤と平行に設置できる場合であるが、基盤に縦断勾配があって作業床と基盤が平行にならない時には図２２に示す調整支柱を用いる。図２２は調整支柱の正面図、図２３はパイロット支柱の正面図である。調整支柱１１６は略Ｈ形のスライド部材１１６ａと、これを挿入支持する略Ｈ形の支持部材１１６ｂからなり、スライド部材１１６ａは支柱ジョイント１５１により組立支柱１０５のパイロット支柱１５０に連結する。
【００６１】
スライド部材１１６ａと支持部材１１６ｂの縦材には複数のピン孔１１６ｃを穿設し係合ピン１１６ｄにより両者を固定する。係合ピン１１６ｄの挿入位置を適宜選択して調整支柱部材１１６の高さＨ１を段階的に変更し、これにジャッキベース１０４の調整代Ｈ２を加えることで基盤１０３に縦断勾配がある場合でも隣接する支柱の下端高さを揃え、同一高さで水平に足場板を架設することが可能になる。
【００６２】
このように、２個のジャッキベース１０４を用い、それぞれのジャッキベース１０４は調整支柱１１６を介して組立支柱１０５の下端部と連結され、ジャッキベース１０４による調整と調整支柱部材１１６の高さを段階的に変更する簡単な構成で組立支柱５の高さを揃えて設置することができる。
【００６３】
また、ジャッキベース１０４と組立支柱１０５の下端部との連結構造は、この実施例に限定されず、単一のジャッキベース１０４の上部に、後記する受部材２２０を嵌合し、この受部材２２０と組立支柱１０５の下端部と連結可能に、または調整支柱部材１１６を介して組立支柱１０５の下端部と連結可能に構成することができる。受部材２２０を用いることで、単一のジャッキベース１０４により組立支柱１０５の下端部または、調整支柱１１６を介して組立支柱１０５の下端部と連結でき、しかもジャッキベース１０４と組立支柱１０５または調整支柱１１６との連結構造を簡単にすることができる。
【００６４】
ところで爪付きの鋼製足場板を用いる場合には各支柱ブラケットの相互の位置関係が固定されるため、組立支柱１０５の横材に支柱ブラケット１０６を引掛けるだけでも横ずれすることはないが、木製の足場板を結束バンド等で固定する場合には支柱ブラケット１０６の固定状態が緩いため横材上を移動する恐れがある。前述したように斜面が平坦でない場合には爪付きの足場板が使用できないので支柱ブラケット１０６の固定状態を改良した足場が必要となる。
【００６５】
その支柱ブラケットの実施形態を図２４に示す。この支柱ブラケット１２６はパイロット支柱１５０に装着するもので、柱材１５１に固着する角形鞘管１５４に同形断面の縦部材１２６ｃを挿通係止する方式である。このため支柱ブラケット１２６の固定状態は引掛方式より確実になりずれや回転がなくなるので、木製の足場板１０９を載置しても安全である。
【００６６】
支柱ブラケット１２６の斜材１２６ｄは中間部と縦部材連結部にそれぞれ係合ピン１２６ｆを設け、これらのピン位置を移動組み合わせることで水平材１２６ａの角度調整を行うものである。また角形鞘管１５４は縦部材１２６ｃが移動しやすい最小長さとする。
【００６７】
図２５乃至３１は斜面作業用足場のさらに他の実施例を示している。図２５は斜面作業用足場の設置した状態を示す概略図、図２６はジャッキベース、受部材及び調整支柱の組み合わせを示す説明図、図２７は調整支柱を示す図、図２８は受部材を示す図、図２９は組立昇降兼用支柱を示す図、図３０は組立昇降兼用支柱の桟を示す図、図３１は組立昇降兼用支柱の桟の他の実施例を示す図である。
【００６８】
図２５に示すように、基盤に縦断勾配があって作業床と基盤が平行にならない時には、図２６乃至図２８に示すジャッキベース、受部材及び調整支柱を用い、昇降には図２９乃至図３１に示す組立昇降兼用支柱を用いる。
【００６９】
基盤に縦断勾配があって作業床と基盤が平行にならない時には、ジャッキベース１０４と、長さが異なる複数の調整支柱部材２１０，２１１，２１２と、この調整支柱部材２１０，２１１，２１２をジャッキベース１０４に支持する受部材２２０とを用い、斜面１０２の勾配の勾配に応じて、ジャッキベース１０４の高さ調節と、長さが異なる調整支柱部材２１０，２１１，２１２の選択とにより、組立支柱１０５の高さを揃える。
【００７０】
ジャッキベース１０４は、図２６（ａ）に示すように、台板１０４ａに対してネジ棒１０４ｂが全方向に旋回可能に軸支され、ネジ棒１０４ｂには高さを調節するハンドル１０４ｃが螺着され、斜面１０２の勾配と平行になるようネジ棒１０４ｂの角度を調整すると共に基盤１０３の傾斜にも対応することができる。
【００７１】
長さが異なる３種類の調整支柱部材２１０，２１１，２１２は、図２６（ｃ）〜（ｅ）及び図２７に示すように、下部が受部材２２０に嵌合され、上部には組立支柱１０５が嵌合される。調整支柱部材２１０，２１１，２１２の下部及び上部にはそれぞれ取付孔２１０ａ，２１１ａ，２１２ａ及び取付孔２１０ｂ，２１１ｂ，２１２ｂが形成されている。
【００７２】
受部材２２０は、図２６（ｂ）〜（ｅ）及び図２８に左右一対の有底支柱嵌合パイプ２２０ａ，２２０ｂが棒材２２０ｃで連結され、さらに左右一対の有底支柱嵌合パイプ２２０ａ，２２０ｂの中央にジャッキ嵌合パイプ２２０ｄが板材２２０ｅで連結して構成される。図２８（ａ）に示すように、左右一対の有底支柱嵌合パイプ２２０ａ，２２０ｂの間で両者の中心を結ぶ線Ｌ１から一方へ偏位した位置にジャッキ嵌合パイプ２２０ｄが配置され、ジャッキ嵌合パイプ２２０ｄに嵌合されるジャッキベース１０４と、左右一対の有底支柱嵌合パイプ２２０ａ，２２０ｂに嵌合される組立梯子状の支柱５や調整支柱部材２１０，２１１，２１２とが干渉しないようになっている。
【００７３】
この受部材２２０は、そのジャッキ嵌合パイプ２２０ｄをジャッキベース１０４のネジ棒１０４ｂに嵌合支持し、この受部材２２０の左右一対の有底支柱嵌合パイプ２２０ａ，２２０ｂに組立支柱１０５の下端部を嵌合し、あるいは長さが異なる複数の調整支柱部材２１０，２１１，２１２を選択して嵌合しさらに調整支柱部材２１０，２１１，２１２に組立支柱１０５の下端部を連結する。そして、斜面１０２の勾配に応じて、ジャッキベース１０４のハンドル１０４ｃを回動して高さ調節し、また異なる複数の調整支柱部材２１０，２１１，２１２の選択による簡単な構造で組立支柱１０５の高さを揃えることができる。特に、組立支柱１０５や調整支柱２１０，２１１，２１２の下端部が左右一対の場合でも、受部材２２０を用いることで単一のジャッキベース１０４により高さ調節ができ、部品点数が少なくしかも簡単な操作で高さ調節ができる。
【００７４】
図２５に示すように、基盤に縦断勾配があって作業床と基盤が平行にならない場合の実施例について説明すると、斜面１０２と、高さを揃える組立支柱１０５の下部との間隔は、Ｌ１〜Ｌ９に示すような長さである。この間隔Ｌ１〜Ｌ４の位置では、ジャッキベース１０４と最短の調整支柱部材２１０との組み合わせより間隔が短いため、最短の調整支柱部材２１０を用いないで、ジャッキベース１０４の上部に受部材２２０を嵌合し、この受部材２２０に組立支柱１０５の下部を嵌合し、ハンドル１０４ｃを操作して組立支柱１０５の高さを揃える。
【００７５】
間隔Ｌ６〜Ｌ９の位置では、ジャッキベース４と最短の調整支柱部材２１０とを用い、ジャッキベース４の上部に受部材２２０を嵌合し、この受部材２２０に最短の調整支柱部材２１０の下部を嵌合し、この調整支柱部材２１０の上部に組立支柱１０５の下部を連結し、ハンドル１０４ｃを操作して組立支柱１０５の高さを揃える。
【００７６】
また、斜面作業用足場１０１は、組立支柱１０５に、踏み桟３０１を有する組立昇降兼用支柱３００を組み合わせて設置可能に構成されている。組立昇降兼用支柱３００は、図２９に示すように下部及び上部に取付孔３００ａ，３００ｂが形成され、上部に同様な踏み桟を有する組立昇降兼用支柱３００の下部が嵌合される。下方の組立昇降兼用支柱３００の下端部は、それぞれのジャッキベース１０４の上部に嵌合され、このジャッキベース１０４により高さ調節が行なわれる。なお、図２６及び図２８に示すような単一のジャッキベース１０４に受部材２２０を嵌合し、この受部材２２０に組立昇降兼用支柱３００の下部を嵌合してもよく、ジャッキベース１０４と組立昇降兼用支柱３００との連結構造が簡単である。
【００７７】
組立支柱１０５と、組立昇降兼用支柱３００を組み合わせて設置することで、作業者は組立昇降兼用支柱３００を利用して容易に昇降でき作業効率が向上する。
【００７８】
この組立昇降兼用支柱３００は、図３０に示すように桟３０１の中央部に略１／３程度の幅に踏み面３０１ａを形成しても、また、図３１に示すように桟３０１に略全幅に踏み面３０１ａを形成してもよい。
【００７９】
【発明の効果】
以上説明したように、請求項１記載の発明の斜面作業用足場では、斜面作業用足場のジャッキベースは斜面の勾配方向に合わせて角度を調整できるものであり、またジャッキベースは、台板に対してネジ棒が旋回可能に軸支するため、基盤の傾斜角にも対応することができる。また、ジャッキベースに連結する組立支柱は適宜その全体長さを調整することができるため、同一高さで足場板を架設できる。また、組立支柱が、互いに長さが異なるパイロット支柱と調整支柱の組み合わせから構成され、パイロット支柱と調整支柱の組み合わせにより簡単に組立支柱の高さ調節ができる。また、パイロット支柱及び調整支柱が、１本の鋼製パイプに支柱ジョイント、支柱ジョイント嵌合部、支柱ブラケット係合部及び連結部材係止部を有し、小型かつ軽量で、保管、運搬に便利で、しかも低コストである。このように、足場に使用する資材の数量が少なく、軽量であり、しかも組立解体作業が容易で、鳶職や熟練工を必要とせずに安全に構築することができ、工程的にもコスト的にも有利である。また、支柱ブラケットの足場板支持部材の先端部に係止した手摺柱の上部高さを変更することで、斜面完成時のみならず斜面構築時にあっても作業員の安全を確保しながら、しかも手摺柱や手摺が資材搬入等の邪魔にならない。
【００８１】
請求項２記載の発明の斜面作業用足場では、組立支柱は係止部材を有し、支柱ブラケットにより適切な高さの係止部材を選択して簡単に支柱ブラケットを組立支柱に係止することができる。
【００８５】
請求項３記載の発明の斜面作業用足場では、間隔保持部材が、組立支柱と斜面との間を調整することができるため、斜面に凹凸がある場合にも組立支柱の斜面からの離れを一定にすることができる。
【００８６】
請求項４記載の発明の斜面作業用足場では、手摺柱に設けた手摺係止部材により手摺の高さを調節することができ、さらに手摺柱は手摺を下げる場合には鞘管内を降下させ、作業の種類に応じて手摺柱の高さを容易に変化させることができる。
【００８７】
請求項５記載の発明の斜面作業用足場では、手摺柱を下げる時には、手摺柱間に設けた手摺が手摺柱の下げに従って斜めとなりその支点間距離が長くなるが、伸縮機構を備えているのでこれに対応することができ、作業の種類に応じて手摺柱及び手摺の高さを容易に変化させることができる。
【００８８】
請求項６載の発明の斜面作業用足場では、組立支柱に、昇降兼用支柱を組み合わせて設置することで、作業者は昇降兼用支柱を利用して容易に昇降でき作業効率が向上する。
【００８９】
請求項７記載の発明の斜面作業用足場では、踏み桟を有する組立昇降兼用支柱も組立支柱と同様に、簡単なジャッキベースにより高さ調節を行なうことができる。
【００９０】
請求項８記載の発明の斜面作業用足場の架設方法では、支柱ブラケットは斜材角度調整機構により斜面勾配に合わせて相互の部材角を変更できるため、足場板支持部材の水平を確保することができる。支柱ブラケットは斜面に適宜間隔をあけて設置する組立支柱の同一高さに係止するものであるが、その横方向の間隔は足場板の長さに応じて定める。足場を構築する斜面が平坦な場合には隣接する支柱ブラケットは平行となるので所定形状の爪付きの鋼製足場板を用いることもできるが、斜面が平坦でない場合には木製や鋼製の足場板を結束バンド等で固定することになる。斜面の勾配方向に合わせて設置される組立支柱は、その高さを容易に揃えることができ、基盤上から延伸して組立てていくことができ、作業床を利用して所定高さまで壁面を施工し、次の作業床を架設し、組立解体作業が容易で、鳶職や熟練工を必要とせずに安全に構築することができ、工程的にもコスト的にも有利である。
【図面の簡単な説明】
【図１】斜面作業用足場の正面図である。
【図２】斜面作業用足場の側面図である。
【図３】パイロット支柱を示す図である。
【図４】調整支柱を示す図である。
【図５】調整支柱を示す図である。
【図６】昇降兼用支柱を示す図である。
【図７】ジャッキベースの側面図である。
【図８】図７のVIII-VIII断面を示す断面図である。
【図９】支柱ブラケットを示す図である。
【図１０】他の実施の形態の支柱ブラケットを示す図である。
【図１１】支柱ブラケットの係止部を示す拡大図である。
【図１２】さらに他の実施の形態の支柱ブラケットの係止部を示す図である。
【図１３】さらに他の支柱ブラケットの係止部を示す拡大図である。
【図１４】手摺柱を示す図である。
【図１５】間隔保持部材を示す図である。
【図１６】斜面作業用足場の架設方法を説明する図である。
【図１７】他の実施の形態の斜面作業用足場の正面図である。
【図１８】斜面作業用足場の側面図である。
【図１９】組立支柱の正面図である。
【図２０】支柱ブラケットの側面図である。
【図２１】間隔保持部材の正面図である。
【図２２】他の実施の形態の調整支柱の正面図である。
【図２３】他の実施の形態の調整支柱の正面図である。
【図２４】他の実施の形態のパイロット支柱の正面図である。
【図２５】他の実施の形態の斜面作業用足場の設置した状態を示す概略図である。
【図２６】ジャッキベース、受部材及び調整支柱の組み合わせを示す説明図である。
【図２７】調整支柱を示す図である。
【図２８】受部材を示す図である。
【図２９】組立昇降兼用支柱を示す図である。
【図３０】組立昇降兼用支柱の桟を示す図である。
【図３１】組立昇降兼用支柱の桟の他の実施例を示す図である。
【符号の説明】
１  斜面作業用足場
２  斜面
３  基盤
４  ジャッキベース
５  組立支柱
６  支柱ブラケット
７  手摺柱
８  手摺
９  足場板
１０  連結部材
１１  間隔保持部材
【図１】
0003841499.tif 000002
【図２】
0003841499.tif 000003
【図３】
0003841499.tif 000004
【図４】
0003841499.tif 000005
【図５】
0003841499.tif 000006
【図６】
0003841499.tif 000007
【図７】
0003841499.tif 000008
【図８】
0003841499.tif 000009
【図９】
0003841499.tif 000010
【図１０】
0003841499.tif 000011
【図１１】
0003841499.tif 000012
【図１２】
0003841499.tif 000013
【図１３】
0003841499.tif 000014
【図１４】
0003841499.tif 000015
【図１５】
0003841499.tif 000016
【図１６】
0003841499.tif 000017
【図１７】
0003841499.tif 000018
【図１８】
0003841499.tif 000019
【図１９】
0003841499.tif 000020
【図２０】
0003841499.tif 000021
【図２１】
0003841499.tif 000022
【図２２】
0003841499.tif 000023
【図２３】
0003841499.tif 000024
【図２４】
0003841499.tif 000025
【図２５】
0003841499.tif 000026
【図２６】
0003841499.tif 000027
【図２７】
0003841499.tif 000028
【図２８】
0003841499.tif 000029
【図２９】
0003841499.tif 000030
【図３０】
0003841499.tif 000031
【図３１】
0003841499.tif 000032